(57)【要約】【課題】ＭＩＣＨのチェック性能を損なうことなく、ＭＢＭＳ待受時の起き上がり時間を短縮して消費電力の低減を図る。【解決手段】Modification Period内の４つのＤＲＸ受信期間に対し、先頭のＤＲＸ受信期間から順にＭＩＣＨの受信チェックを行い、着信は検出されないものの、このときの受信品質Ec／Ioがしきい値であるSintraを超えていると判定された場合には、上記ＭＩＣＨの受信チェック結果は信頼性が高いと判断して、Modification Period内のそれ以降のＤＲＸ受信期間をスリープ状態に設定するようにしている。一方、受信品質Ec／IoがSintraを超えない場合には、ＭＩＣＨの受信チェック結果は信頼性が低いと判断し、Ec／IoがSintraを超えるまで以降のＤＲＸ受信期間においてもＭＩＣＨの受信チェックを繰り返す。【選択図】図１
2010166230.tif 000002
【特許請求の範囲】
【請求項１】
ネットワーク側から移動通信端末へマルチメディア放送によって複数のサービスに係わる情報を同報配信すると共に、前記ネットワーク側が、前記複数のサービスの内容変更の有無を表す表示チャネル情報を、予め第１の周期に設定された第１の期間内に、前記第１の周期より短い第２の周期で設定される複数の第２の期間を使用して複数回繰り返し送信するシステムで使用される前記移動通信端末であって、
前記表示チャネル情報を送信する無線チャネルの受信品質を検出する手段と、
前記受信品質の検出結果に基づいて、前記第１の期間内で前記表示チャネル情報を受信すべき回数を決定する手段と、
前記表示チャネル情報を受信するために必要な回路ユニットを、前記第１の期間内に設定される複数の第２の期間のうち、前記決定された受信すべき回数に対応する数の期間のみ動作状態に設定し、その他の期間は非動作状態に設定するように制御する間欠受信制御手段と
を具備することを特徴とする移動通信端末。
【請求項２】
前記間欠受信制御手段は、前記第１の期間内に設定される複数の第２の期間に対し、先頭の期間から順に前記回路ユニットを動作状態に設定し、これらの期間のいずれかで受信品質が予め設定したしきい値を超えたことが検出されると、それ以降のすべての第２の期間では前記回路ユニットを非動作状態に設定するように制御することを特徴とする請求項１記載の移動通信端末。
【請求項３】
受信品質が予め設定したしきい値を超えない状態が前記複数の第２の期間に渡り続いた場合には、これら複数の第２の期間において受信された表示チャネル情報を合成し、この合成された表示チャネル情報に基づいて表示チャネル情報の内容を判定する手段を、さらに具備することを特徴とする請求項１又は２記載の移動通信端末。
【発明の詳細な説明】
【技術分野】
【０００１】
この発明は、マルチメディア放送による情報配信サービスを受けるための機能を備える移動通信端末に関する。
【背景技術】
【０００２】
近年、携帯電話機やＰＤＡ（Personal Digital Assistant）等の移動通信端末向けに、マルチメディア放送によって種々の情報を同報配信するサービスを提供するシステムが提案されている。この種のサービスの一つに、ＭＢＭＳ（Multimedia Broadcast Multicast Service）と呼ばれるものがあり、現在規格化作業が進められている。
【０００３】
ＭＢＭＳは、サービス内容が更新された場合に、ネットワークがMBMS Indicator Channel）を用いて移動通信端末に通知する。ＭＩＣＨは、図８に示すようにModification Period と呼ばれる期間が周期的に設定され、各Modification Period にはＤＲＸと呼ばれる複数のReception Periodが設定される。各ＤＲＸでは、Radio frameが送信される。１つのRadio frameは１０msec長で３００ビットにより構成され、この３００ビットのうち２８８ビット（ｂ0 〜ｂ287）がnotification indication用のビットとして使用される。そのフレームフォーマットは、ネットワークから通知される制御データに従い決まり、この結果各ユーザに割り当てられるビット数が決まる。そして、この割り当てられたビットを使用して、ネットワークからユーザ端末に対しサービス内容の更新の有無を表す情報が通知される。図８では、3個のサービスについて更新の有無を通知する場合を例示している。
【０００４】
Modification Period 内のＭＩＣＨにおいて着信が発生すると、端末は次のModification Period 内のＳＣＣＰＣＨ、ＦＡＣＨ上における新しいＭＢＭＳ制御チャネル（ＭＣＣＨ）の内容を確認することで、サービス内容がどのように変更になっているかを知ることができる（例えば、非特許文献１又は非特許文献２を参照。）。
【先行技術文献】
【非特許文献】
【０００５】
【非特許文献１】3GPP TS 25.346 V6.7.0 (2005-12) Technical Specification 3rd Generation Partnership Project; Technical Specification Group Radio Access Network; Introduction of the Multimedia Broadcast Multicast Service (MBMS) in the Radio Access Network (RAN); Stage 2 (Release 6)
【非特許文献２】3GPP TS 25.331 V6.10.0 (2006-06) Technical Specification 3rd Generation Partnership Project; Technical Specification Group Radio Access Network; Radio Resource Control (RRC); Protocol Specification (Release 6)
【発明の概要】
【発明が解決しようとする課題】
【０００６】
ところで、ＭＩＣＨにおけるフレーム内ビット位置は、ＭＢＭＳ Service ID及びＴＭＧＩがサービスごとに異なるため、複数のサービスに対して利用登録をしたユーザは、Radio frame内の複数のＭＩＣＨポジションをチェックしなければならない。このため、ユーザ端末はＭＢＭＳ待受時の間欠受信動作において、図８に例示したようにRadio frame内のnotification indicationビット（ｂ0 〜ｂ287 ）区間のほぼ全域で起き上がらなければならず、このような起き上がり時間の長い受信動作をDRXごとに繰り返す必要がある。この結果、待受時における起き上がり時間長の合計が長くなって、端末の消費電力の増加を招く。これは、電源としてバッテリを使用する移動通信端末にあっては、バッテリ寿命の短命化を招き非常に好ましくない。
【０００７】
この発明は上記事情に着目してなされたもので、その目的とするところは、ＭＩＣＨのチェック性能を損なうことなく、ＭＢＭＳ待受時の起き上がり時間を短縮して消費電力の低減を図った移動通信端末を提供することにある。
【課題を解決するための手段】
【０００８】
上記目的を達成するためにこの発明の一観点は、ネットワーク側から移動通信端末へマルチメディア放送によって複数のサービスに係わる情報を同報配信すると共に、前記ネットワーク側が、前記複数のサービスの内容変更の有無を表す表示チャネル情報を、予め第１の周期に設定された第１の期間内に、前記第１の周期より短い第２の周期で設定される複数の第２の期間を使用して複数回繰り返し送信するシステムで使用される前記移動通信端末にあって、前記表示チャネル情報を送信する無線チャネルの受信品質を検出する手段と、前記受信品質の検出結果に基づいて、前記第１の期間内で前記表示チャネル情報を受信すべき回数を決定する手段と、間欠受信制御手段とを備える。そして、この間欠受信制御手段により、前記表示チャネル情報を受信するために必要な回路ユニットを、前記第１の期間内に設定される複数の第２の期間のうち、前記決定された受信すべき回数に対応する数の期間のみ動作状態に設定し、その他の期間は非動作状態に設定するように制御するようにしたものである。
【発明の効果】
【０００９】
したがって、受信品質が劣化した状態では複数の第２の期間のすべてに対し表示チャネル情報の受信チェックが行われるが、受信品質が良好な状態では複数の第２の期間のうち限られた区間においてのみ表示チャネル情報の受信チェックが行われる。このため、受信品質が劣化した状態では複数の第２の期間すべての受信結果を基に表示チャネル情報の受信チェックを行うことができるので、信頼性の高い受信チェックが可能となる。これに対し、受信品質が良好な状態では、限られた数の第２の期間にのみ表示チャネル情報の受信チェックが行われ、他の期間は非動作状態（スリープ状態）となる。このため、常にすべての第２の期間に対し表示チャネル情報の受信チェックを行う場合に比べ、待受時の消費電力を減らしてバッテリ寿命の延長又はバッテリ容量の小型化が可能となる。
【００１０】
すなわちこの発明の一観点によれば、表示チャネル情報のチェック性能を損なうことなく、待受時の起き上がり時間を短縮して消費電力の低減を図った移動通信端末を提供することができる。
【図面の簡単な説明】
【００１１】
【図１】この発明の一実施形態に係わる移動通信端末の構成を示すブロック図である。
【図２】図１に示した移動通信端末によるＭＢＭＳ待受制御の手順と内容の前半部分を示すフローチャートである。
【図３】図１に示した移動通信端末によるＭＢＭＳ待受制御の手順と内容の後半部分を示すフローチャートである。
【図４】図２に示したＭＢＭＳ待受制御による間欠受信動作を説明するための図で、１回目のＤＲＸから受信品質が良好な場合の起き上がりタイミングを示す図である。
【図５】図２に示したＭＢＭＳ待受制御による間欠受信動作を説明するための図で、１回目のＤＲＸ受信時点では受信品質が劣化していたが、２回目のＤＲＸ受信時点で受信品質が良好になった場合の起き上がりタイミングを示す図である。
【図６】図２に示したＭＢＭＳ待受制御による間欠受信動作を説明するための図で、１回目のＤＲＸ受信時点から４回目のＤＲＸ受信時点まで受信品質が劣化していた場合の起き上がりタイミングを示す図である。
【図７】１回目のＤＲＸ受信時点から４回目のＤＲＸ受信時点まで受信品質が劣化していた場合の、４回目のＤＲＸ受信時における起き上がり時間を示す図である。
【図８】ＭＢＭＳにおけるＭＩＣＨのフレームフォーマットを説明するための図である。
【発明を実施するための形態】
【００１２】
以下、図面を参照してこの発明に係わる実施形態を説明する。
【００１３】
図１は、この発明に係わる移動通信端末の一実施形態である携帯電話機の構成を示すブロック図である。  
同図において、図示しない移動通信ネットワークの基地局から送信された無線信号は、アンテナ１で受信されたのちアンテナ共用器（ＤＵＰ）２を介して受信機（ＲＸ）３に入力され、この受信機３でダウンコンバートされたのち符号分割多元接続（Code Division Multiple Access；ＣＤＭＡ）信号処理部６によりスペクトラム逆拡散処理が施されて受信ベースバンドデータに変換される。そして、この受信ベースバンドデータは圧縮伸長処理部（以後コンパンダと称する）７に入力される。
【００１４】
コンパンダ７では、上記ＣＤＭＡ信号処理部６から出力された受信ベースバンドデータのパケットを多重分離部によりメディア毎に分離し、メディアデータごとに復号処理を行う。例えば受信ベースバンドデータにオーディオデータが含まれていれば、このオーディオデータをスピーチコーデックにより復号する。また受信ベースバンドデータにビデオデータが含まれていれば、このビデオデータをビデオコーデックにより復号する。上記スピーチコーデックの復号処理により得られたディジタルオーディオ信号はＰＣＭ符号処理部（以後ＰＣＭコーデックと称する）８へ、またビデオコーデックの復号処理により得られたディジタルビデオ信号は制御部２０へそれぞれ出力される。さらに、受信ベースバンドデータにメールやアプリケーション等のテキストデータが含まれている場合には、このテキストデータは制御部２０に入力される。
【００１５】
コンパンダ７から出力されたディジタルオーディオ信号は、ＰＣＭコーデック８でアナログオーディオ信号に変換されたのち、受話増幅器９で増幅されてスピーカ１１から音として出力される。一方、コンパンダ７から出力されたディジタルビデオ信号は、制御部２０の制御の下で表示部１５に表示される。また、メールやアプリケーション等のテキストデータは記憶部１６に保存される。そして、入力部１４におけるユーザの表示操作に応じて記憶部１６から読み出されて表示部１５に表示される。なお、上記オーディオデータ及びビデオデータについても、必要に応じて記憶部１６に記憶される。
【００１６】
一方、マイクロホン１２に入力されたユーザの音声信号は、送話増幅器１３により符号化する上で適切なレベルに増幅されたのち、ＰＣＭコーデック８によりディジタルオーディオ信号に変換され、コンパンダ７に入力される。また、制御部２０において作成されたメール等のテキストデータや、写真又は動画像等のディジタルビデオ信号もコンパンダ７に入力される。コンパンダ７では、上記入力されたディジタルオーディオ信号、ディジタルビデオ信号及びテキストデータがそれぞれ符号化されたのち所定のパケットフォーマットに従い多重化される。そして、この多重化された送信パケットデータは、ＣＤＭＡ信号処理部６でスペクトラム拡散処理を施され、送信機（ＴＸ）５により変調処理と無線周波帯域へのアップコンバートが行われたのち、アンテナ共用器２を介してアンテナ１から基地局へ向け送信される。  
なお、周波数シンセサイザ（ＳＹＮ）４は、制御部２０から出力される無線チャネル制御信号ＳＹＣに従い、受信機３及び送信機５に対しそれぞれ受信及び送信のための局部発振信号を供給する。
【００１７】
入力部１４には、ダイヤルキーに加え、カーソルキー、送信キー、終了キー、電源キー、音量調節キー、モード指定キー等の機能キーが設けられている。また表示部１５には、ＬＣＤ及びＬＥＤが設けられている。ＬＣＤには、先に述べた送受信データに加え、端末の動作モードを表すピクトデータ等も表示される。また、電話帳データや送受信履歴等も表示される。またＬＥＤは、着信の報知やバッテリ１６の充電状態を表示するために使用される。
【００１８】
電源回路１８は、バッテリ１７の出力電力をもとに、端末の動作に必要な３系統の動作電源電圧Ｖcc0，Ｖcc1，Ｖcc2を生成する。そして、このうちの動作電源電圧Ｖcc0を制御部２０に常時供給する。また電源回路１８は、制御部２０から出力される電源供給制御信号ＶＳＣに従い、電源電圧Ｖcc1を無線ユニット１０及びＣＤＭＡ信号処理部６に、動作電源電圧Ｖcc2をその他の回路部にそれぞれ供給する。なお、無線ユニット１０には、先に述べたアンテナ１、アンテナ共用器２、受信機３、周波数シンセサイザ４及び送信機５が含まれる。
【００１９】
ところで、制御部２０は例えばマイクロコンピュータを主制御部として備えたもので、この発明を実現する上で必要な特徴的な制御機能として、ＭＢＭＳ待受制御機能２１を新たに有している。なお、このＭＢＭＳ待受制御機能２１は他の既存の制御機能と共に、いずれもアプリケーション・プログラムを上記マイクロコンピュータに実行させることにより実現される。
【００２０】
ＭＢＭＳ待受制御機能２１は、ＭＢＭＳシステムに対する利用登録がなされた状態で、その待受時に間欠受信制御によるＭＩＣＨの受信チェックを行うもので、図８に示したようにModification Period の期間内を分割したＤＲＸと呼ばれる複数のReception Period（図８では４個のＤＲＸの場合を例示）に対し、そのときの受信品質を考慮して選択的に間欠受信制御を行う。
【００２１】
次に、以上のように構成された移動通信端末によるＭＢＭＳ待受動作を、制御部２０のＭＢＭＳ待受制御機能２１による制御手順に従い説明する。図２及び図３はその制御手順と制御内容を示すフローチャートである。  
制御部２０は、先ずステップＳ２１においてＭＢＭＳ待受時の間欠受信制御に必要なパラメータを初期設定する処理を行う。この初期設定処理では、ネットワーク側が送信するＢＣＣＨからＭＢＭＳのＤＲＸ周期を表す情報を取得すると共に、同じくネットワーク側が送信するＭＣＣＨからModification Periodの周期を表す情報を取得する。そして、先ずこの取得したＤＲＸ周期とModification Period周期とを比較し、Modification Periodの周期の方がＤＲＸ周期より長いかどうかを判定する。これは、Modification Periodの周期の方がＤＲＸ周期より長い場合に限り、本発明による間欠受信制御が可能となるからである。上記比較の結果、Modification Periodの周期の方がＤＲＸ周期より長いことが確認されると、制御部２０は続いて、Modification Periodの期間内でＭＩＣＨの受信チェックを最大何回行えばよいかを決定する。
【００２２】
例えば、Modification period＝10.24sec、ＤＲＸ＝2.56secの場合には、図８に例示したようにＭＩＣＨは４回繰り返し送信されるので、この場合は４回となる。また、Modification period＝5.12sec、ＤＲＸ＝2.56secの場合には、ＭＩＣＨは２回繰り返し送信されるので、この場合は２回となる。
【００２３】
また、制御部２０は、受信品質の良否を判定するためのしきい値としてSintraを取得する。Sitnraは、移動通信端末の受信状態が良好であることを表すパラメータであり、ネットワーク側からＢＣＣＨにより通知される。この取得したSintraは、上記決定された受信チェックの回数を表す情報と共に、制御部２０内のメモリに保存される。
【００２４】
上記初期設定のための処理が終了すると制御部２０は、無線受信系を非動作状態（スリープ状態）に設定するための電源供給制御信号ＶＳＣを電源回路１８に与える。このため、電源回路１８から無線ユニット１０及びＣＤＭＡ信号処理部６への動作電圧Ｖcc1の供給は停止され、無線ユニット１０及びＣＤＭＡ信号処理部６はスリープ状態となる。
【００２５】
この状態で制御部２０は、ステップＳ２２によりModification period内において、先頭のＤＲＸ内のRadio frame受信開始タイミングを監視する。なお、ＤＲＸ内におけるRadio frameの受信期間は、規格に基づいて予め定められている。そして、上記先頭のＤＲＸ内のRadio frame受信開始タイミングになると、ステップＳ２３により無線受信系を動作状態（ウエークアップ状態）にするための電源供給制御信号ＶＳＣを電源回路１８に与える。この結果、電源回路１８から無線ユニット１０及びＣＤＭＡ信号処理部６へ動作電圧Ｖcc1が供給され、無線ユニット１０及びＣＤＭＡ信号処理部６はウエークアップ状態となる。
【００２６】
無線ユニット１０及びＣＤＭＡ信号処理部６はウエークアップ状態になると、上記Radio frameのnotification indication用ビットｂ0 〜ｂ287 が受信され、このnotification indication用ビットｂ0 〜ｂ287 に挿入されている、各サービスの内容更新の有無を表す情報が受信再生される。制御部２０は、ステップＳ２４により上記ＣＤＭＡ信号処理部６から各サービスの内容更新の有無を表す情報、つまりＭＩＣＨの受信結果を取得する。また、このときＣＤＭＡ信号処理部６ではこのＭＩＣＨ受信時における受信品質（例えばEc／Io）が検出され、制御部２０はステップＳ２５により上記ＣＤＭＡ信号処理部６から上記受信品質の検出結果であるEc／Ioを取得する。
【００２７】
上記先頭のＤＲＸ受信期間において、ＭＩＣＨの受信結果と受信品質の検出結果Ec／Ioを取得すると、制御部２０はステップＳ２６においてＭＩＣＨの受信結果をもとに着信があったか否か、つまりPaging Indicator Ｎq ＝１だったか否かをサービスごとに判定する。この判定の結果、Ｎq ＝１であれば当該サービスに内容変更があると判断し、ステップＳ２７に移行して、次のModification Periodの受信開始タイミングまで無線ユニット１０及びＣＤＭＡ信号処理部６をスリープ状態に設定する。なお、この場合も、制御部２０から電源回路１８に対しスリープ制御用の電源供給制御信号ＶＳＣを与えることにより、無線ユニット１０及びＣＤＭＡ信号処理部６はスリープ状態に設定される。
【００２８】
そして、次のModification Period の受信開始タイミングになると、制御部２０から電源回路１８に対しウエークアップ制御用の電源供給制御信号ＶＳＣを与えられ、これにより無線ユニット１０及びＣＤＭＡ信号処理部６は再びウエークアップする。この結果、ＣＤＭＡ信号処理部６では、当該Modification Period 内のＳＣＣＰＣＨ、ＦＡＣＨ上における新しいＭＢＭＳ制御チャネル（ＭＣＣＨ）が受信され、制御部２０はその受信内容を確認することにより、サービス内容がどのように変更になっているかを知ることが可能となる。
【００２９】
一方、上記ステップＳ２６による判定の結果Ｎq ＝０だったとする。この場合制御部２０は、ステップＳ２８において受信品質の検出結果Ec／Ioをしきい値であるSintraと比較する。そして、この比較の結果、Ec／Io＞Sintraであれば、受信品質は良好なため上記ＭＩＣＨの受信結果の信頼性は高いと判断し、ステップＳ２９に移行して電源回路１８に対しスリープ制御用の電源供給制御信号ＶＳＣを与えることにより、無線ユニット１０及びＣＤＭＡ信号処理部６をスリープ状態に設定する。このとき、スリープ時間はModification Period／ＤＲＸ−１回分の時間長に設定する。したがって、無線ユニット１０及びＣＤＭＡ信号処理部６は、図４に示すようにModification Period内の２番目以降のすべてのＤＲＸ受信期間をスリープすることになり、その分無線ユニット１０及びＣＤＭＡ信号処理部６による消費電力は低減される。
【００３０】
ただし、４番目のＤＲＸ受信期間では、制御部２０は図７に示すようにＰＩＣＨの受信期間のみ無線ユニット１０及びＣＤＭＡ信号処理部６をウエークアップ状態に設定し、ＰＩＣＨを受信してその内容を確認する。このＰＩＣＨの受信確認に必要な時間は、複数のサービスのＭＩＣＨを受信確認するためにRadio frameのほぼ全期間に渡って受信動作を行う場合に比べ短いため、これによる消費電力の増加は少ない。
【００３１】
これに対し、上記ステップＳ２８による受信品質の判定の結果、Ec／Io≦Sintraだったとする。この場合制御部２０は、受信品質は良好ではないため上記ＭＩＣＨの受信結果の信頼性は低いと判断し、２番目のＤＲＸ受信期間でもＭＩＣＨの受信チェックを継続するために、ステップＳ３０に移行してＤＲＸの繰り返し受信回数ＣＯをカウントアップしたのち、ステップＳ３１により次のＤＲＸ内の受信タイミングまで無線ユニット１０及びＣＤＭＡ信号処理部６をスリープ状態に設定する。
【００３２】
上記スリープ期間中に制御部２０は、ステップＳ３３において２番目のＤＲＸ受信期間内の受信開始タイミングを監視し、当該受信タイミングになるとステップＳ３４により無線受信系を動作状態（ウエークアップ状態）にするための電源供給制御信号ＶＳＣを電源回路１８に与える。この結果、電源回路１８から無線ユニット１０及びＣＤＭＡ信号処理部６へ動作電圧Ｖcc1 が供給され、無線ユニット１０及びＣＤＭＡ信号処理部６はウエークアップ状態となる。
【００３３】
上記無線ユニット１０及びＣＤＭＡ信号処理部６がウエークアップ状態になり、上記２番目のＤＲＸ受信期間内においてＭＩＣＨが受信されると、制御部２０はステップＳ３５によりＣＤＭＡ信号処理部６からＭＩＣＨの受信結果を取得する。また、同時にステップＳ３６により、このときの受信品質の検出結果Ec／Ioを取得する。
【００３４】
上記２番目のＤＲＸ受信期間において、ＭＩＣＨの受信結果と受信品質の検出結果Ec／Ioを取得すると、制御部２０はステップＳ３７においてＭＩＣＨの受信結果をもとに着信があったか否か、つまりPaging Indicator Ｎq ＝１だったか否かをサービスごとに判定する。この判定の結果、Ｎq ＝１であれば当該サービスに内容変更があると判断し、ステップＳ３８に移行して、次のModification Periodの受信開始タイミングまで無線ユニット１０及びＣＤＭＡ信号処理部６をスリープ状態に設定する。
【００３５】
一方、上記ステップＳ３７による判定の結果Ｎq ＝０だったとする。この場合制御部２０は、ステップＳ３９において受信品質の検出結果Ec／IoをSintraと比較する。そして、この比較の結果、Ec／Io＞Sintraであれば、受信品質は良好な状態に回復し、これにより上記ＭＩＣＨの受信結果の信頼性は高まったと判断する。そして、ステップＳ４０に移行して、電源回路１８に対しスリープ制御用の電源供給制御信号ＶＳＣを与えることにより無線ユニット１０及びＣＤＭＡ信号処理部６をスリープ状態に設定する。このとき、ＤＲＸ繰り返し受信回数ＣＯのカウント値はＣＯ＝１となっているため、スリープ時間はModification Period／ＤＲＸ−２回分の時間長に設定する。したがって、無線ユニット１０及びＣＤＭＡ信号処理部６は、図５に示すようにModification Period内の３番目以降のすべてのＤＲＸ受信期間をスリープすることになり、その分無線ユニット１０及びＣＤＭＡ信号処理部６による消費電力は低減される。
【００３６】
なお、４番目のＤＲＸ受信期間において、ＰＩＣＨの受信期間のみ無線ユニット１０及びＣＤＭＡ信号処理部６を一時的にウエークアップ状態に設定してＰＩＣＨを受信する点は、この場合も同じである。
【００３７】
これに対し、上記ステップＳ３９による受信品質の判定の結果、Ec／Io≦Sintraだったとする。この場合制御部２０は、受信品質は良好ではないため上記ＭＩＣＨの受信結果の信頼性は低いと判断する。そして、ステップＳ４１に移行してＤＲＸの繰り返し受信回数ＣＯをＣＯ＝２にカウントアップし、このカウントアップ後のＤＲＸの繰り返し受信回数ＣＯの値を、ステップＳ２１において初期設定したＤＲＸの数（本実施形態では４）とステップＳ４２により比較する。
【００３８】
この比較の結果、カウントアップ後のＤＲＸの繰り返し受信回数ＣＯの値がＤＲＸの数＝４に達していなければ、未チェックのＤＲＸ受信期間が残っていると判断し、３番目のＤＲＸ受信期間でもＭＩＣＨの受信チェックを継続するために、ステップＳ４３により次のＤＲＸ内の受信開始タイミングまで無線ユニット１０及びＣＤＭＡ信号処理部６をスリープ状態に設定する。
【００３９】
以後同様に、カウントアップ後のＤＲＸの繰り返し受信回数ＣＯの値がＤＲＸの数＝４に達するまで、制御部２０は３番目のＤＲＸ受信期間に対し、さらには４番目のＤＲＸ受信期間に対して、上記ステップＳ３３〜ステップＳ４３による制御を繰り返し実行する。したがって、Modification Periodの全期間に渡り受信品質が劣化していた場合には、図６に示すように先頭のＤＲＸから４番目のＤＲＸまでのすべてＤＲＸ受信期間においてそれぞれＭＩＣＨの受信チェックが行われる。
【００４０】
上記カウントアップ後のＤＲＸの繰り返し受信回数ＣＯの値がＤＲＸの数＝４に達すると、制御部２０は当該Modification Periodに対するＭＩＣＨの受信チェックを終了する。そして、次のModification Period内における先頭のＤＲＸの受信開始タイミングまで無線ユニット１０及びＣＤＭＡ信号処理部６をスリープ状態に設定し、ステップＳ２２に戻る。
【００４１】
以上述べたようにこの実施形態では、Modification Period内の４つのＤＲＸ受信期間に対し、先頭のＤＲＸ受信期間から順にＭＩＣＨの受信チェックを行い、着信は検出されないものの、このときの受信品質Ec／Ioがしきい値であるSintraを超えていると判定された場合には、上記ＭＩＣＨの受信チェック結果は信頼性が高いと判断して、Modification Period内のそれ以降のＤＲＸ受信期間をスリープ状態に設定するようにしている。一方、受信品質Ec／IoがSintraを超えない場合には、ＭＩＣＨの受信チェック結果は信頼性が低いと判断し、Ec／IoがSintraを超えるまで以降のＤＲＸ受信期間においてもＭＩＣＨの受信チェックを繰り返すようにしている。
【００４２】
したがって、受信品質が良好な状況下においては、無線ユニット１０及びＣＤＭＡ信号処理部６によるＭＢＭＳ待受時の消費電力を低減することができ、これによりバッテリ１７の寿命を延長することができる。また、受信品質が低下した状況下においては、複数のＤＲＸ受信期間において得られるＭＩＣＨの受信チェック結果の合成値をもとにＭＩＣＨ受信結果を判定することができるので、より信頼性の高いＭＩＣＨの受信チェックを行うことが可能となる。
【００４３】
なお、この発明は上記実施形態に限定されるものではない。例えば、前記実施形態ではＤＲＸ受信期間ごとに、そのときの受信品質をもとに次のＤＲＸ受信期間においてＭＩＣＨの受信チェックを行うか否かを判定するようにした。しかし、それに限らず、予め無線チャネルの受信品質を計測し、その結果に基づいて複数のＤＲＸ受信期間のうちのいくつを受信対象とするかを予め決定し、この決定された数のＤＲＸ受信期間においてＭＩＣＨの受信チェックを行うようにしてもよい。
【００４４】
その他、移動通信端末の種類やその構成、ＭＢＭＳ待受制御の手順と内容等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４５】
１…アンテナ、２アンテナ共用器（ＤＵＰ）、３…受信機（ＲＸ）、４…周波数シンセサイザ（ＳＹＮ）、５…送信機（ＴＸ）、６…ＣＤＭＡ信号処理部、７…圧縮伸張処理部、８…ＰＣＭ符号処理部、９…受話増幅器、１１…スピーカ、１２…マイク、１３…送話増幅器、１４…入力部、１５…表示部、１６…記憶部、１７…バッテリ、１８…電源回路、２０…制御部、２１…ＭＢＭＳ待受制御プログラム。
【図１】
2010166230.tif 000003
【図２】
2010166230.tif 000004
【図３】
2010166230.tif 000005
【図４】
2010166230.tif 000006
【図５】
2010166230.tif 000007
【図６】
2010166230.tif 000008
【図７】
2010166230.tif 000009
【図８】
2010166230.tif 000010